(57)【要約】      （修正有）【課題】骨つぼの出し入れが容易で作業性が良く、墓石板の前面がすっきりしていて墓の見映えが良く、且つ、墓石板の墓碑や墓誌の読み易いような墓からなる墓地構造を提供する。【解決手段】地中に埋設した納骨筐体２と、該納骨筐体２の後方の地表に立設し死者の名前又は墓誌を記した墓石板３と、前記納骨筐体２の前方の地表に設置した化粧石体４と、該化粧石体４の上面に凹設した供え部４ａを覆う蓋体４ｂとを具備した墓１からなる。【選択図】図２
0003154472.tif 000002
【実用新案登録請求の範囲】
【請求項１】
地中に埋設した納骨筐体と、該納骨筐体の後方の地表に立設し死者の名前又は墓誌を記した墓石板と、前記納骨筐体の前方の地表に設置した化粧石体とを具備した墓からなる墓地。
【請求項２】
前記化粧石体は水平方向に延びる直方体でその上面に凹部を形成し、該凹部の底面に供え部を設けると共に該供え部を覆う蓋体を前記凹部の両側縁に着脱可能に係止して形成されている請求項１に記載の墓地。
【請求項３】
複数基の前記墓を横並びに連設して形成した請求項１又は請求項２に記載の墓。
【請求項４】
前記墓の墓石板の後方に、骨つぼを埋設する小スペースと当該骨つぼの死者の名前等を記した長方形のプレートとからなる小規模の墓の複数基を横並びに連設した請求項１又は請求項２又は請求項３に記載の墓地。
【請求項５】
骨つぼを埋設する小スペースと、該小スペースの近傍の地表に設けられ前記骨つぼの死者の名前等を記したプレートとからなる小規模の墓の近傍の地表に植栽を有する墓地。
【考案の詳細な説明】
【技術分野】
【０００１】
本考案は核家族化に伴う少人数の家族や単身者の利用に好適な墓地に関する。
【背景技術】
【０００２】
従来の墓地として、一体的構造又は隣接して配設されるカロート（納骨筐体）と、該カロート上に互いに隣接して載置され墓碑、墓誌を表面に設置する壁面ブロックと、隣接する前記壁面ブロックの合わせ部を被包すると共に区切用の張り出し部を設ける化粧画成板と、該化粧画成板の前記張り出し部間に配設されると共に前記カロート上に搭載される化粧石とを多連に設けた共同の墓地構造が知られている（例えば特許文献１参照。）。
【先行技術文献】
【特許文献】
【０００３】
【特許文献１】実用新案登録第３０２７９４６号公報
【考案の概要】
【考案が解決しようとする課題】
【０００４】
この従来の墓地構造によると、カロート上に墓碑、墓誌を表面に設置する壁面ブロックと化粧石を載置しているので、カロートへの骨つぼを収容するときに前記壁面ブロックと化粧石を該カロート上から取り外させばならず作業上手間がかかり、又該化粧石の上面に花立て等を露出して立設して前記壁面ブロックの前方に立ちはだかっているので、該花立て等が邪魔になって該壁面ブロックの表面の墓碑や墓誌の一部が読みづらくなると共に美観を損ねる等の問題点があった。
【０００５】
本考案はこれらの問題点を解消し納骨に際しての作業性がよく、墓碑や墓誌が離れた所からも読み易くなり、美観を有する墓地を提供することを目的とする。
【課題を解決するための手段】
【０００６】
本考案は上記の目的を達成すべく、地中に埋設した納骨筐体と、該納骨筐体の後方の地表に立設し死者の名前又は墓誌を記した墓石板と、前記納骨筐体の前方の地表に設置した化粧石体とを具備した墓からなる。
【考案の効果】
【０００７】
本考案によれば、納骨筐体に骨つぼを出し入れする際に墓石板や化粧石体を取り外す必要がないので作業性が良く、又、前面にある化粧石体を花立てや線香立てに使用しないときは該化粧石体の上に付属の蓋体で蓋をしているのでお墓の見映えがよく、且つ背後の墓石板の墓碑や墓誌も読み易くなる構造の墓からなる墓地を提供できる効果を有する。
【図面の簡単な説明】
【０００８】
【図１】本考案の実施例１の墓地の平面図である。
【図２】同上実施例１の墓地の一部の斜視図である。
【考案を実施するための形態】
【０００９】
本考案を実施するための形態の実施例を以下に示す。
【実施例１】
【００１０】
本考案の実施例１を図面により説明する。
【００１１】
図１は実施例１の墓地の平面図であり、図２は同上実施例１の墓地の一部の斜視図である。
【００１２】
１は本考案の墓を示し、複数基の墓１が横並びに連設されて小区画の墓地Ａ等を形成している。
【００１３】
前記墓１は地中に埋設した納骨筐体２と、該納骨筐体２の後方の地表に立設した墓石板３と、前記納骨筐体２の前方の地表に設置した化粧石体４とからなる。
【００１４】
前記納骨筐体２は石材製又はコンクリート製の四角い筐体と、該筐体の上面を塞ぐように載置した四角い蓋体とからなり、該納骨筐体２の内部に骨つぼ等が収容される構造となっている。
【００１５】
前記墓石板３は石材等からなり、表面には死者の名前や墓誌等が刻設される。
【００１６】
該墓石板３の形状は、所定の寸法内であれば該墓１の建設者の創意によって自由な形状とすることができる。
【００１７】
前記化粧石体４は横長の直方体で、所定の寸法及び形状に形成されている。
【００１８】
該化粧石体４の上面には、四角形の凹部からなる供え部４ａが形成されており、該供え部４ａを丁度覆う構造の四角形の化粧石蓋体４ｂが前記化粧石体４の上部に、該供え部４ａの凹部に嵌入するように載置されている。
【００１９】
前記化粧石体４の供え部４ａには、お供え用の花を生けるための丸穴４ａ１や線香を立てるための丸穴４ａ２が凹設されている。
【００２０】
尚、前記図１では、前記化粧石蓋体４ｂをすべて省略して、墓１の構造が判り易いように表示した。
【００２１】
又、図２は３基の墓１、１´、１´´からなる小区画の墓地Ａの斜視図であり、これら墓１、１´、１´´は、墓石板３、３´、３´´の形状がそれぞれ異なる以外はすべて同形となっている。
【００２２】
尚、墓１´の化粧石体４に関しては、化粧石蓋体４ａを取り去って供え部４ａの詳細が判り易くなるように表示した。
【００２３】
又、前記図２の墓地Ａにおいて、墓石板３、３´及び３´´の後方に、骨つぼを埋設する小スペースと該死者の名前等を記した長方形のプレート１０とからなる小規模の墓の複数基を横並びに連設してある。
【００２４】
１１は薔薇等の植栽で、墓石板３、３´、３´´と前記プレート１０との間のスペースに各々間隔を存して植栽されている。尚、植栽は薔薇以外の草花であってもよい。
【００２５】
図１は、このような小区画の墓地Ａ、Ｂ、Ｃ、Ｄが集まって、大区画の墓地Ｆを形成した例を示した。
【００２６】
尚、図１において、Ｅは無縁となった遺骨等の合葬墓であり、遺族が維持を取り止めた墓に埋葬されていた遺骨等をまとめて合葬する合葬墓である。
【００２７】
該合葬墓Ｅはやや大き目の墓石板Ｅ１と納骨筐体Ｅ２等からなり、大区画の墓地Ｆの中央にモニュメントの様に配置している。
【００２８】
次に本考案の墓地の利用方法、及びその利点について説明する。
【００２９】
図１において、墓１は核家族化に伴う少人数の家族に好適であり、又、プレート１０からなる小規模の墓は単身者の利用に好適である。
【００３０】
又、これら小規模の墓の前に薔薇等の植栽１１を設けたので、参拝者の心を和ませる効果が得られる。
【００３１】
特に墓１は、納骨に際して納骨筐体２に骨つぼを出し入れする際に墓石板３や化粧石体４を取り外す必要がないので作業性が良く、又、化粧石体４の花立て用の丸穴４ａ１や線香立て用の丸穴４ａ２を使用しないときは該化粧石体４の上面を化粧石蓋体４ｂで塞いでいるのでお墓の見映えがよく、且つ背後の墓石板３の墓碑や墓誌も読み易い構造となる効果を有する。
【００３２】
尚、前記墓地Ｆにおいて、前記合葬墓Ｅやプレート１０を有する小規模の墓等を墓地内に配置しなくてもよい。
【産業上の利用可能性】
【００３３】
本考案は公園墓地をはじめ各種の墓地の設計及び建設に利用される。
【符号の説明】
【００３４】
１、１０、Ｅ              墓
２、Ｅ２                  納骨筐体
３、３´、３´´、Ｅ１    墓石板
４                        化粧石体
４ａ                      供え部
４ｂ                      化粧石蓋体
１０                      プレート
１１                      植栽
Ａ、Ｂ、Ｃ、Ｄ、Ｆ        墓地
【図１】
0003154472.tif 000003
【図２】
0003154472.tif 000004
【手続補正書】
【提出日】平成21年7月24日(2009.7.24)
【手続補正１】
【補正対象書類名】明細書
【補正対象項目名】全文
【補正方法】変更
【補正の内容】
【考案の詳細な説明】
【技術分野】
【０００１】  本考案は核家族化に伴う少人数の家族や単身者の利用に好適な墓地構造に関する。
【背景技術】
【０００２】  従来の墓地構造として、一体的構造又は隣接して配設されるカロート（納骨筐体）と、該カロート上に互いに隣接して載置され墓碑、墓誌を表面に設置する壁面ブロックと、隣接する前記壁面ブロックの合わせ部を被包すると共に区切用の張り出し部を設ける化粧画成板と、該化粧画成板の前記張り出し部間に配設されると共に前記カロート上に搭載される化粧石とを多連に設けた共同の墓地構造が知られている（例えば特許文献１参照。）。
【先行技術文献】
【特許文献】
【０００３】
【特許文献１】実用新案登録第３０２７９４６号公報
【考案の概要】
【考案が解決しようとする課題】
【０００４】  この従来の墓地構造によると、カロート上に墓碑、墓誌を表面に設置する壁面ブロックと化粧石を載置しているので、カロートへの骨つぼを収容するときに前記壁面ブロックと化粧石を該カロート上から取り外させばならず作業上手間がかかり、又該化粧石の上面に花立て等を露出して立設して前記壁面ブロックの前方に立ちはだかっているので、該花立て等が邪魔になって該壁面ブロックの表面の墓碑や墓誌の一部が読みづらくなると共に美観を損ねる等の問題点があった。【０００５】  本考案はこれらの問題点を解消し納骨に際しての作業性がよく、墓碑や墓誌が離れた所からも読み易くなり、美観を有する墓地構造を提供することを目的とする。
【課題を解決するための手段】
【０００６】  本考案は上記の目的を達成すべく、地中に埋設した納骨筐体と、該納骨筐体の後方の地表に立設し死者の名前又は墓誌を記した墓石板と、前記納骨筐体の前方の地表に設置した化粧石体とを具備した墓地構造からなる。
【考案の効果】
【０００７】  本考案によれば、納骨筐体に骨つぼを出し入れする際に墓石板や化粧石体を取り外す必要がないので作業性が良く、又、前面にある化粧石体を花立てや線香立てに使用しないときは該化粧石体の上に付属の蓋体で蓋をしているのでお墓の見映えがよく、且つ背後の墓石板の墓碑や墓誌も読み易くなる構造の墓からなる墓地構造を提供できる効果を有する。
【図面の簡単な説明】
【０００８】
【図１】本考案の実施例１の墓地構造の平面図である。
【図２】同上実施例１の墓地構造の一部の斜視図である。
【考案を実施するための形態】
【０００９】  本考案を実施するための形態の実施例を以下に示す。
【実施例１】
【００１０】  本考案の実施例１を図面により説明する。【００１１】  図１は実施例１の墓地構造の平面図であり、図２は同上実施例１の墓地構造の一部の斜視図である。【００１２】  １は本考案の墓地構造を示し、複数基の墓地構造１が横並びに連設されて小区画の墓地構造Ａ等を形成している。【００１３】  前記墓地構造１は地中に埋設した納骨筐体２と、該納骨筐体２の後方の地表に立設した墓石板３と、前記納骨筐体２の前方の地表に設置した化粧石体４とからなる。【００１４】  前記納骨筐体２は石材製又はコンクリート製の四角い筐体と、該筐体の上面を塞ぐように載置した四角い蓋体とからなり、該納骨筐体２の内部に骨つぼ等が収容される構造となっている。【００１５】  前記墓石板３は石材等からなり、表面には死者の名前や墓誌等が刻設される。【００１６】  該墓石板３の形状は、所定の寸法内であれば該墓地構造１の建設者の創意によって自由な形状とすることができる。【００１７】  前記化粧石体４は横長の直方体で、所定の寸法及び形状に形成されている。【００１８】  該化粧石体４の上面には、四角形の凹部からなる供え部４ａが形成されており、該供え部４ａを丁度覆う構造の四角形の化粧石蓋体４ｂが前記化粧石体４の上部に、該供え部４ａの凹部に嵌入するように載置されている。【００１９】  前記化粧石体４の供え部４ａには、お供え用の花を生けるための丸穴４ａ１や線香を立てるための丸穴４ａ２が凹設されている。【００２０】  尚、前記図１では、前記化粧石蓋体４ｂをすべて省略して、墓地構造１の構造が判り易いように表示した。【００２１】  又、図２は３基の墓地構造１、１´、１´´からなる小区画の墓地構造Ａの斜視図であり、これら墓地構造１、１´、１´´は、墓石板３、３´、３´´の形状がそれぞれ異なる以外はすべて同形となっている。【００２２】  尚、墓地構造１´の化粧石体４に関しては、化粧石蓋体４ａを取り去って供え部４ａの詳細が判り易くなるように表示した。【００２３】  又、前記図２の墓地構造Ａにおいて、墓石板３、３´及び３´´の後方に、骨つぼを埋設する小スペースと該死者の名前等を記した長方形のプレート１０とからなる小規模の墓地構造の複数基を横並びに連設してある。【００２４】  １１は薔薇等の植栽で、墓石板３、３´、３´´と前記プレート１０との間のスペースに各々間隔を存して植栽されている。尚、植栽は薔薇以外の草花であってもよい。【００２５】  図１は、このような小区画の墓地構造Ａ、Ｂ、Ｃ、Ｄが集まって、大区画の墓地構造Ｆを形成した例を示した。【００２６】  尚、図１において、Ｅは無縁となった遺骨等の合葬墓地構造であり、遺族が維持を取り止めた墓に埋葬されていた遺骨等をまとめて合葬する合葬墓地構造である。【００２７】  該合葬墓地構造Ｅはやや大き目の墓石板Ｅ１と納骨筐体Ｅ２等からなり、大区画の墓地構造Ｆの中央にモニュメントの様に配置している。【００２８】  次に本考案の墓地構造の利用方法、及びその利点について説明する。【００２９】  図１において、墓地構造１は核家族化に伴う少人数の家族に好適であり、又、プレート１０からなる小規模の墓地構造は単身者の利用に好適である。【００３０】  又、これら小規模の墓地構造の前に薔薇等の植栽１���を設けたので、参拝者の心を和ませる効果が得られる。【００３１】  特に墓地構造１は、納骨に際して納骨筐体２に骨つぼを出し入れする際に墓石板３や化粧石体４を取り外す必要がないので作業性が良く、又、化粧石体４の花立て用の丸穴４ａ１や線香立て用の丸穴４ａ２を使用しないときは該化粧石体４の上面を化粧石蓋体４ｂで塞いでいるのでお墓の見映えがよく、且つ背後の墓石板３の墓碑や墓誌も読み易い構造となる効果を有する。【００３２】  尚、前記墓地構造Ｆにおいて、前記合葬墓地構造Ｅやプレート１０を有する小規模の墓地構造等を墓地内に配置しなくてもよい。
【産業上の利用可能性】
【００３３】  本考案は公園墓地をはじめ各種の墓地の設計及び建設に利用される。
【符号の説明】
【００３４】  １、１０、Ｅ              墓地構造  ２、Ｅ２                  納骨筐体  ３、３´、３´´、Ｅ１    墓石板  ４                        化粧石体  ４ａ                      供え部  ４ｂ                      化粧石蓋体  １０                      プレート  １１                      植栽  Ａ、Ｂ、Ｃ、Ｄ、Ｆ        墓地構造
【手続補正２】
【補正対象書類名】実用新案登録請求の範囲
【補正対象項目名】全文
【補正方法】変更
【補正の内容】
【実用新案登録請求の範囲】
【請求項１】
地中に埋設した納骨筐体と、該納骨筐体の後方の地表に立設し死者の名前又は墓誌を記した墓石板と、前記納骨筐体の前方の地表に設置した化粧石体とを具備した墓からなる墓地構造。
【請求項２】
前記化粧石体は水平方向に延びる直方体でその上面に凹部を形成し、該凹部の底面に供え部を設けると共に該供え部を覆う蓋体を前記凹部の両側縁に着脱可能に係止して形成されている請求項１に記載の墓地構造。
【請求項３】
複数基の前記墓を横並びに連設して形成した請求項１又は請求項２に記載の墓地構造。
【請求項４】
前記墓の墓石板の後方に、骨つぼを埋設する小スペースと当該骨つぼの死者の名前等を記した長方形のプレートとからなる小規模の墓の複数基を横並びに連設した請求項１又は請求項２又は請求項３に記載の墓地構造。
【請求項５】
骨つぼを埋設する小スペースと、該小スペースの近傍の地表に設けられ前記骨つぼの死者の名前等を記したプレートとからなる小規模の墓の近傍の地表に植栽を有する請求項１に記載の墓地構造。